(57)【要約】【課題】掘削溝の土留め装置におけるスイング式ジャッキ機構において、ジャッキが溝壁側と平行になるようにスイング回転したとき、ジャッキが掘削溝側に斜め下にダレるのを防止するための、ジャッキの位置矯正装置を提供する。【解決手段】ジャッキが溝壁側と平行になるようにスイング回転したとき、支柱又はコネクターストッパープレートと、これに対面する前記ジャッキ側コネクターに接する平面との間に配置されて両者の間に空隙を形成するストッパーを設ける。【選択図】  図３
2004257149.tif 000002
【特許請求の範囲】
【請求項１】
掘削溝の両側壁の土砂の崩壊を防止するための土留め装置におけるジャッキ機構であって、
このジャッキ機構は、掘削溝の両側壁の一対の土留めパネルと、この一対の土留めパネルの左右両端に接合された支柱と、コネクターを介して掘削溝の両側壁の一対の支柱間に張設されるジャッキとからなり、
このジャッキはコネクターに設けた枢支部における回転軸を中心として、水平方向に溝壁側に回転可能である、スイング式ジャッキ機構において、
ジャッキが溝壁側と平行になるようにスイング回転したとき、
前記支柱又はコネクターストッパープレートと、これに対面する前記コネクター又はその回動する部分に接する平面との間に配置されて両者の間に空隙を形成する、
ストッパーを設けたことを特徴とする掘削溝の土留め装置におけるスイング式ジャッキの位置矯正装置。
【請求項２】
前記ストッパーの形状が、円柱、楕円柱、多角柱、管、球、楕円球の何れかであることを特徴とする請求項１に記載の掘削溝の土留め装置におけるスイング式ジャッキの位置矯正装置。
【請求項３】
前記ジャッキが溝壁側と平行になるようにスイング回転したとき、
前記支柱又はコネクターストッパープレートと、これに対面する前記コネクター又はその回動する部分に接する平面との間に配置されて両者の間に空隙を形成し、
これによって前記回転軸の下方延長線と前記支柱又はコネクターストッパープレートに平行な面とが形成する角度をゼロにするか又は小さくする、
ストッパーを設けたことを特徴とする請求項１又は２に記載の掘削溝の土留め装置におけるスイング式ジャッキの位置矯正装置。
【請求項４】
前記スイング式ジャッキが溝壁側と平行になるように９０°回転したとき、コネクター又はその回動する部分と、前記支柱又はコネクターストッパープレートとに挟持されて両者の間に空隙を形成し、これによって前記回転軸と前記支柱又はコネクターストッパープレートに平行な面とが形成する角度をゼロにするか又は小さくする、ストッパーを設けたことを特徴とする請求項１〜３の何れかに記載の掘削溝の土留め装置におけるスイング式ジャッキの位置矯正装置。
【請求項５】
前記角度が、０°以上で、スイングして水平になるジャッキが掘削溝側にブレない大きさである請求項１〜４の何れかに記載の掘削溝の土留め装置におけるスイング式ジャッキの位置矯正装置。
【請求項６】
前記ストッパーのサイズが、パネル側コネクターの支柱に対するクリアランスに等しいか又は小さいことを特徴とする請求項１〜５の何れかに記載の掘削溝の土留め装置におけるスイング式ジャッキの位置矯正装置。
【請求項７】
前記ストッパーのサイズが、スイングして水平になるジャッキが掘削溝側にブレないように垂れたジャッキを持ち上げることのできる大きさである請求項１〜６の何れかに記載の掘削溝の土留め装置におけるスイング式ジャッキの位置矯正装置。
【請求項８】
前記ジャッキが溝壁側と平行になるようにスイング回転したとき、
前記支柱又はコネクターストッパープレートとこれに対面する前記コネクターに接する平面との間に配置されて両者の間に空隙を形成し、
これによって前記回転軸の上方延長線と前記支柱又はコネクターストッパープレートに平行な面とが角度を形成する、
ストッパーを設けたことを特徴とする請求項１又は２に記載の掘削溝の土留め装置におけるスイング式ジャッキの位置矯正装置。
【請求項９】
前記ストッパーのサイズが、パネル側コネクターの支柱に対するクリアランスより大きいことを特徴とする請求項１、２又は８の何れかに記載の掘削溝の土留め装置におけるスイング式ジャッキの位置矯正装置。
【請求項１０】
前記スイング式ジャッキは、コネクターを介して、水平方向に溝壁側に左右両方または左右何れかに回転可能であることを特徴とする請求項１〜９の何れかに記載の掘削溝の土留め装置におけるスイング式ジャッキの位置矯正装置。
【請求項１１】
前記コネクターは、ジャッキ側コネクターとパネル側コネクターからなり、前記ストッパーは、ジャッキ側コネクターに接合されていることを特徴とする請求項１〜１０の何れかに記載の掘削溝の土留め装置におけるスイング式ジャッキの位置矯正装置。
【請求項１２】
ジャッキが溝壁側と平行になるようにスイング回転したとき、
回転したストッパーが、スイング前の状態における、支柱に垂直なジッャキの中心軸と平行な、ジッャキ側枢支部の回転軸を通るジャッキ側枢支部の中心線より、ジャッキの中心軸方向に寄っていることを特徴とする請求項１〜１１の何れかに記載の掘削溝の土留め装置におけるスイング式ジャッキの位置矯正装置。
【請求項１３】
前記コネクターは、ジャッキ側コネクターとパネル側コネクターからなり、前記ストッパーは、パネル側コネクターに接合されていることを特徴とする請求項１〜１０の何れかに記載の掘削溝の土留め装置におけるスイング式ジャッキの位置矯正装置。
【請求項１４】
前記ストッパーは、コネクターストッパープレートに接合されていることを特徴とする請求項１３に記載の掘削溝の土留め装置におけるスイング式ジャッキの位置矯正装置。
【請求項１５】
前記ストッパーは、支柱に垂直なジッャキの中心軸と平行な、ジッャキ側枢支部の回転軸を通るジャッキ側枢支部の中心線より、ジャッキの中心軸方向に寄っていないことを特徴とする請求項１３又は１４に記載の掘削溝の土留め装置におけるスイング式ジャッキの位置矯正装置。
【発明の詳細な説明】
【０００１】
【発明の属する技術分野】
本発明は、都市ガスや上下水道などの管を埋設するに際し、掘削した溝側壁の土砂の崩壊を防止するために、例えば、図１に示すように、掘削溝の両側に沿って連続的に起立させる、土留めパネル１とこの両端に接合された支柱２とからなる掘削溝土留め用パネル構造に対して、溝幅方向の切梁としての伸縮自在のスイング式ジッャキ３を水平回動した際、管を降下する通路幅を大きく確保するようにしたスイング式ジッャキ３の取り付け用コネクター４の改良に関する。
【０００２】
【従来の技術】
図２において、ジャッキ３はコネクター４によって支柱２に垂直に連結されている。ジャッキ３を連結したジャッキ側コネクター５と支柱２に係合したパネル側コネクター６とは、左右両側の枢支部９、９′、１１、１１′に通した２本の係止ピン７、７′によって連結されている。８はコネクターストッププレートである。
ジャッキ３の自重とパネル側コネクター６のクリアランスのため、ジャッキ３は支柱２から掘削溝に少し突出して前に垂れているが、左右両側の枢支部９、９′、１１、１１′に通した２本の係止ピン７、７′によって連結されているので、垂れの方向は、垂直であり、左右にブレていない。
ジャッキ側コネクター５の右側下部及びジャッキ側コネクター５の右側下枢支部９′に本発明のスイング式ジャッキの位置矯正装置であるストッパー１０′が設置されているが、この段階ではジャッキ３は土留めパネル側へスイングしていないので、機能していない。１２は、コネクターストッパープレート８を支柱２に止める係棒である。
図３において、上段に、従来のスイング式コネクター４（５、６）を使用して水圧ジャッキ３をパネル１と平行になるように９０°回転したときをコネクター４側より見た従来の例を示す。図２に示す左右２本の係止ピン７、７′のうち、右側の係止ピン７′を引き抜き、左側の係止ピン７を回転軸としている。１本の係止ピン７だけで重いジャッキ３を支持しているため、図３の下段に示すように、ジャッキ３及び係止ピン７がパネル１と平行の状態で静止するのでなく、係止ピン７が掘削溝側に傾き、一旦水平にしたジャッキは掘削溝側に戻ってブレて垂れている。
ジャッキを水平方向に回転させて、保持する構造に関する事例がある（例えば、特許文献１、特許文献２及び特許文献３参照。）。
また、本願の先願として、特願平第２００２−５５２８２号（第８及び第９頁、第５図）の事例がある。
また、ジャッキをスイングさせたときに、スイングしたジャッキの戻りをなくすための構造の事例がある（例えば、特許文献４）。
特許文献４は、別のピン孔にピンを装入してなる構造を開示しているが、本願発明とは構造が異なる。
これらの従来の技術は、例えば、特許文献４の第３頁第３欄第７〜９行の記載「・・・支持体３と基体５とを連結した際には、該支持体３と基体５とは直線状の位置関係に保持され、」に示されているように、ジャッキをスイングさせたときに、このジャッキが自重で下がりながら、少し戻ってしまうことにはふれていない。
【０００３】
【特許文献１】
特開２０００−２２６８５１号公報（第３頁、第３図）
【特許文献２】
特開２００１−２１４４４５号公報（第２頁、第３図）
【特許文献３】
実用新案登録第２５７７９４９号公報（第２頁、第１図）
【特許文献４】
特開２０００−６４２８７号公報（第４頁、第４図）
【０００４】
【発明が解決しようとする課題】
従来のコネクターを使用してスイング式ジャッキを土留めパネルと平行になるように９０°回転する。図３の上段に示すように、この時ジャッキの重量とコネクター部のクリアランスのため、コネクターとジャッキは掘削溝側に斜め下にダレて倒れこむ。これは、掘削溝幅が狭い場合は、管を降下する際にジャッキを土留めパネル側に引き寄せなくてはならず作業能率を悪くし、また、ジャッキが管に当たり障害となる上、管に傷を付ける恐れがある。最近は狭い溝幅に長いガス管等を埋設するようになってきており、一本の管を埋設する場合におけるジャッキの本数も多いので問題となっている。
このため、出来るだけジャッキが斜め下にダレて倒れこむのを少なくすることで作業能率を確保することが求められている。
【０００５】
本発明は、ジャッキをスイングさせたときに、このジャッキが自重で下がりながら、少し戻ってしまうので、ストッパーを付与することで、コネクターを倒れないように維持して、スイングしたジャッキのこの戻りをなくすことを可能とする、掘削溝の土留め装置におけるスイング式ジャッキの位置矯正装置を提供することを目的とする。
【０００６】
【課題を解決するための手段】
本発明は、上記の技術的課題を解決するものであり、その要旨とするところは以下の通りである。
【０００７】
（１）掘削溝の両側壁の土砂の崩壊を防止するための土留め装置におけるジャッキ機構であって、
このジャッキ機構は、掘削溝の両側壁の一対の土留めパネルと、この一対の土留めパネルの左右両端に接合された支柱と、コネクターを介して掘削溝の両側壁の一対の支柱間に張設されるジャッキとからなり、
このジャッキはコネクターに設けた枢支部における回転軸を中心として、水平方向に溝壁側に回転可能である、スイング式ジャッキ機構において、
ジャッキが溝壁側と平行になるようにスイング回転したとき、
前記支柱又はコネクターストッパープレートと、これに対面する前記コネクター又はその回動する部分に接する平面との間に配置されて両者の間に空隙を形成する、
ストッパーを設けたことを特徴とする掘削溝の土留め装置におけるスイング式ジャッキの位置矯正装置。
【０００８】
（２）前記ストッパーの形状が、円柱、楕円柱、多角柱、管、球、楕円球の何れかであることを特徴とする上記（１）に記載の掘削溝の土留め装置におけるスイング式ジャッキの位置矯正装置。
【０００９】
（３）前記ジャッキが溝壁側と平行になるようにスイング回転したとき、
前記支柱又はコネクターストッパープレートと、これに対面する前記コネクター又はその回動する部分に接する平面との間に配置されて両者の間に空隙を形成し、
これによって前記回転軸の下方延長線と前記支柱又はコネクターストッパープレートに平行な面とが形成する角度をゼロにするか又は小さくする、
ストッパーを設けたことを特徴とする上記（１）又は（２）に記載の掘削溝の土留め装置におけるスイング式ジャッキの位置矯正装置。
【００１０】
（４）前記スイング式ジャッキが溝壁側と平行になるように９０°回転したとき、コネクター又はその回動する部分と、前記支柱又はコネクターストッパープレートとに挟持されて両者の間に空隙を形成し、これによって前記回転軸と前記支柱又はコネクターストッパープレートに平行な面とが形成する角度をゼロにするか又は小さくする、ストッパーを設けたことを特徴とする上記（１）〜（３）の何れかに記載の掘削溝の土留め装置におけるスイング式ジャッキの位置矯正装置。
【００１１】
（５）前記角度が、０°以上で、スイングして水平になるジャッキが掘削溝側にブレない大きさである上記（１）〜（４）の何れかに記載の掘削溝の土留め装置におけるスイング式ジャッキの位置矯正装置。
【００１２】
（６）前記ストッパーのサイズが、パネル側コネクターの支柱に対するクリアランスに等しいか又は小さいことを特徴とする上記（１）〜（５）の何れかに記載の掘削溝の土留め装置におけるスイング式ジャッキの位置矯正装置。
【００１３】
（７）前記ストッパーのサイズが、スイングして水平になるジャッキが掘削溝側にブレないように垂れたジャッキを持ち上げることのできる大きさである上記（１）〜（６）の何れかに記載の掘削溝の土留め装置におけるスイング式ジャッキの位置矯正装置。
【００１４】
（８）前記ジャッキが溝壁側と平行になるようにスイング回転したとき、
前記支柱又はコネクターストッパープレートとこれに対面する前記コネクターに接する平面との間に配置されて両者の間に空隙を形成し、
これによって前記回転軸の上方延長線と前記支柱又はコネクターストッパープレートに平行な面とが角度を形成する、
ストッパーを設けたことを特徴とする上記（１）又は（２）に記載の掘削溝の土留め装置におけるスイング式ジャッキの位置矯正装置。
【００１５】
（９）前記ストッパーのサイズが、パネル側コネクターの支柱に対するクリアランスより大きいことを特徴とする上記（１）、（２）又は（８）の何れかに記載の掘削溝の土留め装置におけるスイング式ジャッキの位置矯正装置。
【００１６】
（１０）前記スイング式ジャッキは、コネクターを介して、水平方向に溝壁側に左右両方または左右何れかに回転可能であることを特徴とする上記（１）〜（９）の何れかに記載の掘削溝の土留め装置におけるスイング式ジャッキの位置矯正装置。
【００１７】
（１１）前記コネクターは、ジャッキ側コネクターとパネル側コネクターからなり、前記ストッパーは、ジャッキ側コネクターに接合されていることを特徴とする上記（１）〜（１０）の何れかに記載の掘削溝の土留め装置におけるスイング式ジャッキの位置矯正装置。
【００１８】
（１２）ジャッキが溝壁側と平行になるようにスイング回転したとき、
回転したストッパーが、スイング前の状態における、支柱に垂直なジッャキの中心軸と平行な、ジッャキ側枢支部の回転軸を通るジャッキ側枢支部の中心線より、ジャッキの中心軸方向に寄っていることを特徴とする上記（１）〜（１１）の何れかに記載の掘削溝の土留め装置におけるスイング式ジャッキの位置矯正装置。
【００１９】
（１３）前記コネクターは、ジャッキ側コネクターとパネル側コネクターからなり、前記ストッパーは、パネル側コネクターに接合されていることを特徴とする上記（１）〜（１０）の何れかに記載の掘削溝の土留め装置におけるスイング式ジャッキの位置矯正装置。
【００２０】
（１４）前記ストッパーは、コネクターストッパープレートに接合されていることを特徴とする上記（１３）に記載の掘削溝の土留め装置
【００２１】
（１５）前記ストッパーは、支柱に垂直なジッャキの中心軸と平行な、ジッャキ側枢支部の回転軸を通るジャッキ側枢支部の中心線より、ジャッキの中心軸方向に寄っていないことを特徴とする上記（１３）又は（１４）に記載の掘削溝の土留め装置におけるスイング式ジャッキの位置矯正装置。
【００２２】
【作用】
スイング式ジャッキをスイング式コネクターに内蔵されているコネクターピン（回転側）を軸にしてパネル側に９０°回転させる時、従来は、図３の上段に示すように、スイング式コネクターの下端にストッパーが付いていなかったため、スイング式コネクターと、土留めパネルの支柱又はコネクターストッパープレートとの隙間にスイング式コネクターの下端が当たるまで、スイング式ジャッキとスイング式コネクターが倒れこんだが、図３の下段に示すように、スイング式コネクターの下端にストッパー（突起物）を付ける事で、スイング式ジャッキを回動したとき、スイング式ジャッキとスイング式コネクター並びに下端に付けたストッパーも回動し、ジャッキが土留めパネルと平行になるとき、スイング式コネクターの下端に付けたストッパーが土留めパネルの支柱又はコネクターストッパープレートに当たりこれらを支えており、隙間を形成し、隙間が無くならないので、スイング式ジャッキが管側に倒れこむのを防ぐことが出来る。
【００２３】
【発明の実施の形態】
本発明のスイング式ジャッキの位置矯正装置の一実施例を図によって説明する。
【００２４】
図４は、本発明のスイング式ジャッキのダレ防止装置であるストッパー１０、１０′の形状の例を示している。（ａ）は円柱、（ｂ）は楕円柱、（ｃ）は多角柱、（ｄ）は球である。ストッパーが回動して土留めパネルの支柱又はコネクターストッパープレート等に当たる部分がこれらの形状をしていればよい。
多角形の場合には面の部分が当たれば好ましい。
本発明のダレ防止ストッパー１０、１０′の形状は、ジャッキが溝壁側と平行になるようにスイング回転したとき、支柱又はコネクターストッパープレートと、これに対面するコネクターに接する平面との間に配置されて両者の間に空隙を形成するものであればよい。
図３の上段及び下段において、点線１４はそれぞれ、ジャッキ３が溝壁側と平行になるようにスイング回転したとき、支柱２又はコネクターストッパープレート８と、これに対面するコネクター又はその回動する部分に接する、平面の位置を示している。図３の下段では、点線１４とコネクターストッパープレート８の間にストッパー１０が配置されて、両者の間に空隙を形成している。図３の上段では、両者の間にこのような空隙は形成されていない。
【００２５】
本発明のダレ防止ストッパー１０、１０′は、サイズが大きいときジャッキは上を向き、小さいとき下を向くので、サイズは、スイングして水平にしたジャッキが掘削溝側にブレないように垂れたジュッキを持ち上げることのできる大きさが好ましい。
【００２６】
本発明のダレ防止ストッパー１０、１０′を配置する位置は、ジャッキを安定して押し上げるために、ジャッキの上下スイングの中心レベルからなるべく下方が好ましい。
【００２７】
ジャッキ３の直径が大きい場合において、ジャッキ３よりも先に本発明のダレ防止ストッパー１０、１０′が支柱２又はコネクターストッパープレート８に当たるようにするためには、コネクター枢支部９、９′１１、１１′の回転軸とこれに平行なストッパー１０、１０′の軸の位置関係をづらしておくことが好ましい。即ち、図８に示すように、これらの軸を通る支柱２又はコネクターストッパープレート８に平行な面が、重なって一枚にならないように、平行な互いに離れている位置関係にすることが好ましい。
【００２８】
本発明のダレ防止ストッパー１０、１０′の材質は、例えば、鉄、鋼等の金属等ジャッキの自重に耐える強度のものであればよい。
【００２９】
図５は、従来のスイング式コネクター４のジャッキ側コネクター５の下部両側に、本発明のダレ防止ストッパー１０、１０′を取り付けたものをコネクター側より見た図である。ダレ防止ストッパー１０、１０′は鉄製の円柱であり、ジャッキ側コネクター５の下部両側及び左右の下部枢支部９、９′に溶接されて固定されている。
ジャッキ３を係止ピン７を軸としてパネル１側に９０°水平回動したとき、軸側のダレ防止ストッパー１０はこれと共に回動し、ジャッキ側コネクター５の左側下部及び左の下部枢支部９と、コネクターストッパープレート８とに挟持されて押圧されている。これによって、係止ピン７は支柱２と平行に垂直に維持されている。このため、ジャッキ３は、パネル１と平行位置に静止している。
【００３０】
図６は、図２に示す、スイング式ジャッキ３を係止ピン７を軸として手前に回動したときをジャッキ側より見た図である。ダレ防止ストッパー１０は、ジャッキ側コネクター５の左側下部及び左側の下部枢支部９に溶接されて固定されている。ダレ防止ストッパー１０は、これらとコネクターストッパープレート８に挟持されている。係止ピン７は支柱２と平行に垂直に維持されている。
【００３１】
図７は、図２における連結状態におけるスイング式ジャッキ機構の側面説明図である。ジャッキ３は、パネル側コネクター６及びジャッキ側コネクター５からなるコネクター４によって支柱２に連結されている。ダレ防止ストッパー１０は、ジャッキ側コネクター５の左側下部及び左側のジャッキ側枢支部９にそれぞれ溶接されて固定されている。７は係止ピン、１１は左側のジャッキ側枢支部である。１３は、係合棒１２の係止ピンである。
【００３２】
図８は、図２における連結状態におけるスイング式ジャッキ機構の平面説明図である。ジャッキ３は、パネル側コネクター６及びジャッキ側コネクター５からなるコネクター４によって支柱２に連結されている。ダレ防止ストッパー１０、１０′は、ジャッキ側コネクター５の左右両側及び左右のジャッキ側枢支部９、９′にそれぞれ溶接されて固定されている。
【００３３】
２点鎖線は、ジャッキ３を９０°水平にパネル側に回動した状態を示しており、図５における連結状態におけるスイング式ジャッキ機構において、本発明のダレ防止ストッパー１０、１０′を示している平面説明図である。
左側のダレ防止ストッパー１０は、左側の枢支部９に嵌入された左側の係止ピン７を軸としてジャッキ側コネクター５及び左側枢支部９の回動と共に回動し、これらとコネクターストッパープレート８に挟持されている。
【００３４】
図１１は、本発明のダレ防止ストッパー１０、１０′がパネル側コネクター６のコネクターストッパープレート８の下部にそれぞれ溶接されて固定されている例である。
ストッパーの位置は、図９及び図１０に示すように、支柱２に垂直なジッャキ３の中心軸１５と平行な、ジッャキ側枢支部９の中心軸を通るジャッキ側枢支部９の中心線１６より、ジャッキ３の中心軸方向に寄っていても良い。
【００３５】
図９及び図１０は、図８における連結状態におけるスイング式ジャッキ機構の平面説明図において、ストッパー１０、１０′の位置を変更した例である。
図１０に拡大して説明しているように、ジャッキ３が溝壁側と平行になるようにスイング回転したとき、回転したストッパー１０が、スイング前の状態における、支柱２に垂直なジッャキ３の中心軸１５と平行な、ジッャキ側枢支部９の回転軸を通るジャッキ側枢支部９の中心線１６より、ジャッキ３の中心軸方向に寄っている。
【００３６】
この例では、ジャッキをスイングさせたときに、ストッパーが、ジャッキの中心軸と平行なジャッキ側枢支部の中心線よりジャッキの中心軸方向に寄っているので、ある一定の力を加えることによって、ジャッキがパネル側にさらに寄って、パネルと平行より、ややパネル側に先端が傾斜した状態で納まることになる。
この場合、ジャッキをスイングしたときに、ストッパーは、ストッパープレートにあたって、一旦停止するが、さらに力を加えると、ジャッキ自体の調整代（ジャッキ側枢支部とこれに嵌入している軸とのクリアランスなど）があるので、ジャッキ側枢支部の中心線を越えて、とまることになる。
そのため、一旦このようになったジャッキは、外力を加えない限りは元に戻らないので、埋設管の敷設作業の支障にならない。
【００３７】
【発明の効果】
本発明によれば、ジャッキをパネル側に９０°水平回動したとき、ジャッキが管側に戻って倒れこむのを防ぐことが出来る。掘削幅が狭い場合でも管を降下する際にジャッキをパネル側に引き寄せる必要がないので、狭い溝幅に長いガス管等を埋設する場合にはジャッキの本数も多いので更に作業能率を向上する。また、ジャッキが管に当たる障害がなく、管に傷を付ける恐れがない。
【図面の簡単な説明】
【図１】従来の掘削溝土留め用パネル構造の切梁取り付け用コネクターの使用状態を示す概略斜視図である。
【図２】従来のスイング式ジャッキ機構に本発明の位置矯正装置を設置したものを土留めパネルの支柱に連結させた状態を示す斜視図である。
【図３】上段は、従来のスイング式ジャッキを９０°回転したときをコネクター側より見た斜視図である。下段は、図２に示すスイング式ジャッキをパネル側に９０°回転したときをコネクター側より見た斜視図である。
【図４】（ａ）〜（ｄ）は、本発明のスイング式ジャッキの位置矯正装置のストッパーの形状の例を示す。
【図５】図２のスイング式ジャッキを土留めパネル側に９０°水平回動してコネクター側から見た斜視図であり、且つ図３の下段に示す本発明例の拡大図であって、本発明のスイング式ジャッキの位置矯正装置の使用状態を示す斜視図である。
【図６】図２のスイング式ジャッキを手前に水平回動してジャッキ側から見た斜視図であって、本発明のスイング式ジャッキのダレ防止装置の使用状態を示す斜視図である。
【図７】図２のスイング式ジャッキ機構の概略左側側面説明図である。
【図８】図２のスイング式ジャッキ機構の概略平面説明図であり、２点鎖線図は、ジャッキを９０°水平にパネル側に回動した状態を示す概略平面説明図である。
【図９】図８のスイング式ジャッキ機構の一部変更を変更した概略平面説明図である。
【図１０】図９の部分拡大概略平面説明図である。
【図１１】本発明の位置矯正装置を設置したスイング式ジャッキ機構の概略平面説明図であり、２点鎖線図は、ジャッキを９０°水平にパネル側に回動した状態を示す概略平面説明図である。
【符号の説明】
１        土留めパネル
２        支柱
３        ジャッキ
４        コネクター
５        ジャッキ側コネクター
６        パネル側コネクター
７        係止ピン
７′      係止ピン
８        コネクターストッププレート
９        ジャッキ側コネクターの左枢支部
９′      ジャッキ側コネクターの右枢支部
１０      左ストッパー
１０′    右ストッパー
１１      パネル側コネクターの左枢支部
１１′    パネル側コネクターの右枢支部
１２      係合棒
１３      係止ピン
１４      平面の位置
１５      ジャッキ３の中心軸
１６      ジャッキ側枢支部の中心線
【図１】
2004257149.tif 000003
【図２】
2004257149.tif 000004
【図３】
2004257149.tif 000005
【図４】
2004257149.tif 000006
【図５】
2004257149.tif 000007
【図６】
2004257149.tif 000008
【図７】
2004257149.tif 000009
【図８】
2004257149.tif 000010
【図９】
2004257149.tif 000011
【図１０】
2004257149.tif 000012
【図１１】
2004257149.tif 000013